(57)【特許請求の範囲】
【請求項１】
背負式作業機（１００）の作業機本体部（１）を作業者が背負うための背負バンド（３）の下端部を前記作業機本体部（１）の下側に着脱可能とする取付構造において、
互いに一定の隙間をあけて対向し、当該一定の隙間が前記作業機本体部（１）を背負う作業者側に開口するよう当該作業機本体部（１）に設けられた一対の支持部（８，８）と、
前記一対の支持部（８，８）同士を繋ぐ軸部（９）と、
前記背負バンド（３）の下端部に設けられ、前記軸部（９）に引っ掛けられて係合するフック部（１２）と、
前記フック部（１２）の開口を形成する端部同士の間を開閉自在に閉塞し、前記フック部（１２）と共に環形状をなす閉塞体（１３）とを備え、
前記閉塞体（１３）は、前記フック部（１２）が前記軸部（９）に係合した状態で前記一対の支持部（８，８）同士の隙間に進入不能となる幅を有することを特徴とする背負バンド（３）の取付構造。
【発明の詳細な説明】
【技術分野】
【０００１】
本発明は、背負式作業機の作業機本体部を作業者が背負うための背負バンドの取付構造に関する。
【背景技術】
【０００２】
従来より、液体ポンプや液体タンクを含む作業機本体部を作業者が背負って作業を行う背負式作業機が知られている（例えば、特許文献１参照）。このような背負式作業機の作業機本体部には一対の背負バンドが取り付けられ、作業者は各々の背負バンドを両肩にかけるようにして作業機本体部を背負う。
【先行技術文献】
【特許文献】
【０００３】
【特許文献１】特許第４２８６８１６号公報
【発明の概要】
【発明が解決しようとする課題】
【０００４】
ところで、背負バンドを作業機本体部に取り付ける一般的構造として、背負バンドの端部に設けられた所謂ナスカンのフック部を、作業機本体部に設けられた軸部に係合させる構造が挙げられる。しかし、このような構造にあっては、作業機本体部を接地させる際にフック部や背負バンドが作業機本体部の下に入り込む場合があり、作業機本体部の接地が不安定となるのに加え、フック部の破損、背負バンドの汚れ等を生じる可能性があった。
【０００５】
本発明は、このような問題点を解決するためになされたものであり、背負式作業機の作業機本体部を接地させる際にフック部や背負バンドが作業機本体部の下に入り込みにくい背負バンドの取付構造の提供を目的とする。
【課題を解決するための手段】
【０００６】
本発明による背負バンド（３）の取付構造は、背負式作業機（１００）の作業機本体部（１）を作業者が背負うための背負バンド（３）の下端部を作業機本体部（１）の下側に着脱可能とする取付構造において、互いに一定の隙間をあけて対向し、当該一定の隙間が作業機本体部（１）を背負う作業者側に開口するよう当該作業機本体部（１）に設けられた一対の支持部（８，８）と、一対の支持部（８，８）同士を繋ぐ軸部（９）と、背負バンド（３）の下端部に設けられ、軸部（９）に引っ掛けられて係合するフック部（１２）と、フック部（１２）の開口を形成する端部同士の間を開閉自在に閉塞し、フック部（１２）と共に環形状をなす閉塞体（１３）とを備え、閉塞体（１３）は、フック部（１２）が軸部（９）に係合した状態で一対の支持部（８，８）同士の隙間に進入不能となる幅を有することを特徴とする。
【０００７】
このような背負バンド（３）の取付構造によれば、フック部（１２）と共に環形状をなして軸部（９）を囲む閉塞体（１３）が一対の支持部（８，８）同士の隙間に進入できないため、軸部（９）回りのフック部（１２）の回動が制限される。これにより、下方への回動が制限されるようにフック部（１２）を取付け、フック部（１２）や背負バンド（３）を作業機本体部（１）の下に入り込みにくくすることが可能となる。
【発明の効果】
【０００８】
このように本発明によれば、背負式作業機の作業機本体部を接地させる際にフック部や背負バンドが作業機本体部の下に入り込みにくい背負バンドの取付構造を提供することができる。
【図面の簡単な説明】
【０００９】
【図１】本発明の背負バンドの取付構造が適用された背負式作業機の前方斜視図である。
【図２】本発明の実施形態に係る背負バンドの取付構造の取り付け前を詳細に示す斜視図である。
【図３】図２の取り付け後を示す斜視図である。
【発明を実施するための形態】
【００１０】
以下、本発明に係る背負式作業機の好適な実施形態について添付図面を参照しながら説明する。以下の説明において、上下、前後、左右の語は、背負式作業機を背負った作業者を基準とした方向を表すものとする。
【００１１】
図１は、本発明の背負バンドの取付構造が適用された背負式作業機の前方斜視図、図２は、本発明の実施形態に係る背負バンドの取付構造の取り付け前を詳細に示す斜視図、図３は、図２の取り付け後を示す斜視図であり、本実施形態では背負式作業機を薬剤等の散布に用いる背負式動力噴霧機として説明する。
【００１２】
図１に示すように、本実施形態に係る背負式動力噴霧機１００は、動力源を含む作業機本体部１と、作業機本体部１の前側（図１の左側）を覆い背負時に作業者の背中に当接する背当て部材２と、作業者が作業機本体部１を背負うための一対の背負バンド３，３とを備えている。また、この背負式動力噴霧機１００は、作業機本体部１から送り出された薬剤等を作業者の手元まで伝送する噴霧ホースと、噴霧ホースの端部に設けられた噴霧ノズルとを備えている。なお、ここでは噴霧ホース及び噴霧ノズルは取り外されている。
【００１３】
作業機本体部１は、液体や粉体からなる薬剤（ここでは薬液）を噴霧するためのポンプ等を搭載した架台４と、この架台４の上部に載置され、噴霧すべき薬剤を収容するタンク５とを備えている。
【００１４】
背当て部材２は、スポンジ等のクッション性に優れた材質で形成されており、背負時には架台４及びタンク５と作業者の背中との間に介在し、相互の接触を和らげる。
【００１５】
一対の背負バンド３，３の上端部は、タンク５の前側の上端部に左右対称に設けられた一対の上側バンド取付部６，６に着脱自在に各々連結され、一対の背負バンド３，３の下端部は、架台４の前側の下端部に左右対称に設けられた一対の下側バンド取付部７，７に着脱自在に各々連結されている。そして、一対の背負バンド３，３及び作業機本体部１のなす一対のループに作業者が両肩を通し、作業機本体部１を背負うことが可能となっている。
【００１６】
ここで、各々の背負バンド３の下端部の取付構造の詳細について、図２及び図３を参照して説明する。
【００１７】
図２に示すように、下側バンド取付部７は、一対の支持部８，８と軸部９とを備えている。各々の支持部８，８は、前後方向及び上下方向に延びる板状体であって架台４の下部前側の位置から前方へ突出するように形成されており、互いに一定の隙間をあけて左右方向に並設され、この隙間は前方即ち作業機本体部１を背負う作業者側へ向かって開口している。また、軸部９は左右方向に延びる軸心を有する円柱体であり、一対の支持部８，８同士を繋ぐように形成されている。
【００１８】
一方、背負バンド３は、作業者の肩に掛かるバンド部１０を有し、このバンド部１０の下端部にナスカン１１が連結されている。ナスカン１１は、上記一対の支持部８，８同士の隙間内で上記軸部９に引っ掛けられて係合するフック部１２と、このフック部１２の基端部１２ａに連設され、フック部１２の先端部１２ｂと基端部１２ａとの間に形成された開口を閉塞してフック部１２と共に環形状をなす閉塞体１３とを備えている。
【００１９】
閉塞体１３は、フック部１２の基端部１２ａを支点として上記環形状の内側から外側へ向かう付勢力を有する板ばね体であり、その先端部は、フック部１２の先端部１２ｂに対し上記環形状の内側から当接している。
【００２０】
また、フック部１２の基端部１２ａにはバンド部１０と連結するための連結孔１４が形成されている。そして、バンド部１０の下端部は折り返されて筒部１５が形成されており、上記連結孔１４と筒部１５とに共通の環状体１６を挿通させることでナスカン１１とバンド部１０とが連結されている。
【００２１】
このようにバンド部１０の下端部に連結したナスカン１１は、閉塞体１３を上記環形状の内側に押し込むことでフック部１２の先端部１２ｂと基端部１２ａとの間を開口させ、そこに軸部９を通すことで上記下側バンド取付部７に装着される。装着状態にあっては、図３に示すように、フック部１２が軸部９に引っ掛けられて係合し、フック部１２の先端部１２ｂと基端部１２ａとの間が閉塞体１３により閉塞されて当該係合の外れが防止される。この状態において、閉塞体１３の左右方向の幅ａと一対の支持部８，８同士の隙間ｂとは、ａ＞ｂという関係になっており、閉塞体１３は一対の支持部８，８同士の隙間内に進入不能となっている。
【００２２】
以上のように構成された背負バンド３の下端部の取付構造によれば、閉塞体１３が一対の支持部８，８同士の隙間内に進入不能となっているため、閉塞体１３と一対の支持部８，８とが当接すると軸部９回りのフック部１２の回動が阻止される。これにより、図３に示す取付状態にあってはフック部１２の下方への回動が制限され、フック部１２や背負バンド３が作業機本体部１の下に入り込みにくくなる。
【００２３】
このように、本実施形態によれば、下方への回動が制限されるようにフック部１２を取付け、フック部１２や背負バンド３を作業機本体部１の下に入り込みにくくすることが可能となる。
【００２４】
また、フック部１２が一対の支持部８，８の間で軸部９に係合するため、一対の支持部８，８によって左右方向へのフック部１２の倒れが制限され、背負時の背負バンド３の位置が安定して作業機本体部１を背負い易くなる。
【００２５】
なお、本実施形態では支持部８，８を板状体として説明したが、支持部８，８の形態はこれに限られるものではなく、一定の隙間をあけて対向し、その隙間が作業機本体部１を背負う作業者側に開口するものであれば他のどのような形態であっても良い。例えば、架台４の前側から後側にへこむ凹部を形成し、当該凹部を形成する一対の側面同士を支持部８，８として用いる形態であっても良い。
【００２６】
また、本実施形態では背負式作業機を背負式動力噴霧機１００として説明したがこれに限られるものではなく、例えば背負式ブロワ等にも応用可能である。
【符号の説明】
【００２７】
４…架台、８…支持部、９…軸部、１２…フック部、１３…閉塞体。
【図１】
0005139477.tif 000002
【図２】
0005139477.tif 000003
【図３】
0005139477.tif 000004